(57)【要約】【課題】簡易な管理手法で、消火設備等の固定設備を建造する際や点検する際の作業項目に実施漏れがないようにすることができる固定設備における作業項目の実施漏れ防止装置を提供すること。【解決手段】個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断するようにする。【選択図】図３
2019135652.tif 000002
【特許請求の範囲】
【請求項１】
固定設備の図面データを、該固定設備における作業必要箇所と共に記憶するデータ記憶手段と、
該データ記憶手段に記憶されたデータに基づいて、固定設備の図面を、作業必要箇所の表示と共に表示する表示手段と、
各作業必要箇所に設置される作業必要箇所を識別するための個別識別情報が記録されている個別標識手段と、
個別標識手段に記録されている個別識別情報を認識する個別標識認識手段と、
作業必要箇所と該作業必要箇所を識別するための個別標識手段に記録されている個別識別情報との関係を記憶するとともに、当該記憶した関係に基づいて、個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断する管理手段と
からなることを特徴とする固定設備における作業項目の実施漏れ防止装置。
【請求項２】
個別標識手段が、２個１組の個別標識手段からなることを特徴とする請求項１記載の固定設備における作業項目の実施漏れ防止装置。
【請求項３】
個別標識手段が、ＩＣタグからなり、個別標識認識手段が、ＩＣタグリーダーからなることを特徴とする請求項１又は２記載の固定設備における作業項目の実施漏れ防止装置。
【請求項４】
表示手段が、携帯情報端末からなることを特徴とする請求項１、２又は３記載の固定設備における作業項目の実施漏れ防止装置。
【請求項５】
管理手段に、作業必要箇所に設置された個別標識手段に記録されている個別識別情報を個別標識認識手段によって認識させることによって、作業必要箇所と該作業必要箇所を識別するための個別標識手段に記録されている個別識別情報との関係を記憶するようにしたことを特徴とする請求項１、２、３又は４記載の固定設備における作業項目の実施漏れ防止装置。
【請求項６】
作業着手時と作業終了時とに、当該作業を行う作業必要箇所に設置された個別標識手段に記録されている個別識別情報を個別標識認識手段によって認識させ、該認識したことの信号を受けたときに、表示手段の当該個別標識手段が設置された作業必要箇所が表示された位置に、当該受けた信号の情報を作業着手時と作業終了時とで区別して表示させるようにしたことを特徴とする請求項１、２、３、４又は５記載の固定設備における作業項目の実施漏れ防止装置。
【発明の詳細な説明】
【技術分野】
【０００１】
本発明は、固定設備における作業項目の実施漏れ防止装置に関し、特に、消火設備等の固定設備を建造する際や点検する際の作業項目に実施漏れがないようにするための作業項目の実施漏れ防止装置に関するものである。
【背景技術】
【０００２】
従来、例えば、消火設備を点検する際に、誤操作によって消火剤を防護区画へ放出してしまう事故（以下、「誤放出事故」という。）が発生している。
特に、消火剤に二酸化炭素を使用する二酸化炭素消火設備の場合は、二酸化炭素の毒性により人身事故につながるおそれがあり、これを防止するために、二酸化炭素消火設備に点検用閉止弁を設置するようにしている。この点検用閉止弁は、常時開放状態で、点検時のみ閉止し、万一、消火剤貯蔵容器が開放された場合でも、消火剤を区画に放出させないものである。
一方、二酸化炭素消火設備以外の不活性ガス消火設備やハロゲン化物消火設備等のガス系消火設備の場合は、点検用閉止弁の設置は、必ずしも必要ではないが、ハロゲン化物には、環境問題に影響を及ぼすものがある。
また、ガス系消火設備において、誤放出事故が発生した場合、復旧に要する費用や時間的な損失が大きいことが挙げられる。
【０００３】
このような、誤放出事故の発生を防止するため、図１〜図２に示すように、ガス系消火設備を点検する際は、点検作業の最初に、点検用閉止弁１の閉止、容器弁ソレノイド２（電磁式容器弁開放装置）のロック及び消火剤貯蔵容器の容器弁３を開放するための操作銅管の取り外し等の誤放出事故の発生防止措置を行うようにしている。
【０００４】
しかしながら、これらの誤放出事故の発生防止措置は、特に、防護区画が多数存在する場合は、ガス系消火設備の構造が複雑となり、作業を行う必要がある箇所も多くなるため、作業項目に実施漏れが発生する確率も高くなる。
他方、点検作業後に誤放出事故の発生防止措置の復旧作業項目に実施漏れが発生すると、火災の際、消火剤が放出されずに消火できないことになる。
このほか、ガス系消火設備を建造する際に、作業項目に実施漏れが発生すると、同様の問題が生じるおそれがある。
【発明の概要】
【発明が解決しようとする課題】
【０００５】
ところで、上記の作業項目の実施漏れは、ヒューマンエラーに起因するものであるため、機械的な管理を介在させることで改善することができるものであるが、複雑な管理手法は、作業効率の低下を引き起こすことになる。
【０００６】
このため、従来は、作業項目を記載したチェックリストを用いるといった簡易な管理手法が用いられていたため、多くの視点でのチェックが行いにくく、ヒューマンエラーを完全になくすことは困難であった。
【０００７】
本発明は、ＩＣＴ（Information and Communication Technology（情報伝達技術））を利用することにより、簡易な管理手法で、消火設備等の固定設備を建造する際や点検する際の作業項目に実施漏れがないようにすることができる固定設備における作業項目の実施漏れ防止装置を提供することを目的とする。
【課題を解決するための手段】
【０００８】
上記目的を達成するため、本発明の固定設備における作業項目の実施漏れ防止装置は、
固定設備の図面データを、該固定設備における作業必要箇所と共に記憶するデータ記憶手段と、
該データ記憶手段に記憶されたデータに基づいて、固定設備の図面を、作業必要箇所の表示と共に表示する表示手段と、
各作業必要箇所に設置される作業必要箇所を識別するための個別識別情報が記録されている個別標識手段と、
個別標識手段に記録されている個別識別情報を認識する個別標識認識手段と、
作業必要箇所と該作業必要箇所を識別するための個別標識手段に記録されている個別識別情報との関係を記憶するとともに、当該記憶した関係に基づいて、個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断する管理手段と
からなることを特徴とする。
ここで、本発明において実施漏れ防止の対象となる「固定設備における作業項目」には、消火設備等の固定設備を建造する際の作業項目や点検する際の作業項目がある。
【０００９】
この場合において、個別標識手段が、２個１組の個別標識手段からなるようにすることができる。
【００１０】
また、個別標識手段が、ＩＣタグからなり、個別標識認識手段が、ＩＣタグリーダーからなるようにすることができる。
【００１１】
また、表示手段が、携帯情報端末からなるようにすることができる。
【００１２】
また、管理手段に、作業必要箇所に設置された個別標識手段に記録されている個別識別情報を個別標識認識手段によって認識させることによって、作業必要箇所と該作業必要箇所を識別するための個別標識手段に記録されている個別識別情報との関係を記憶するようにすることができる。
【００１３】
また、作業着手時と作業終了時とに、当該作業を行う作業必要箇所に設置された個別標識手段に記録されている個別識別情報を個別標識認識手段によって認識させ、該認識したことの信号を受けたときに、表示手段の当該個別標識手段が設置された作業必要箇所が表示された位置に、当該受けた信号の情報を作業着手時と作業終了時とで区別して表示させるようにすることができる。
【発明の効果】
【００１４】
本発明の固定設備における作業項目の実施漏れ防止装置によれば、個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断するようにすることにより、各作業必要箇所に設置される作業必要箇所を識別するための個別識別情報が記録されている個別標識手段を、個別標識認識手段により認識させる簡易な管理手法で、消火設備等の固定設備を建造する際や点検する際の作業項目に実施漏れがないようにすることができる。
【００１５】
また、個別標識手段が、２個１組の個別標識手段からなるようにすることにより、該当する作業必要箇所の固定設備が、構成部品の移動を伴う場合や物理的な位置変化を伴う可動部品からなる場合における作業項目の実施漏れを確実に防止することができる。
【００１６】
また、個別標識手段が、ＩＣタグからなり、個別標識認識手段が、ＩＣタグリーダーからなるようにすることにより、個別標識認識手段による個別標識手段の認識作業を、非接触で行うことができる。
【００１７】
また、表示手段が、携帯情報端末からなるようにすることにより、作業現場において作業項目の確認作業を簡易に行うことができる。
【００１８】
また、管理手段に、作業必要箇所に設置された個別標識手段に記録されている個別識別情報を個別標識認識手段によって認識させることによって、作業必要箇所と該作業必要箇所を識別するための個別標識手段に記録されている個別識別情報との関係を簡易に記憶するようにすることができる。
【００１９】
また、作業着手時と作業終了時とに、当該作業を行う作業必要箇所に設置された個別標識手段に記録されている個別識別情報を個別標識認識手段によって認識させ、該認識したことの信号を受けたときに、表示手段の当該個別標識手段が設置された作業必要箇所が表示された位置に、当該受けた信号の情報を作業着手時と作業終了時とで区別して表示させるようにすることにより、作業着手時及び作業終了時のそれぞれの作業項目の確認作業を実施漏れなく確実に行うことができる。
【図面の簡単な説明】
【００２０】
【図１】本発明の固定設備における作業項目の実施漏れ防止装置を適用するガス系消火設備の一例を示す説明図である。
【図２】ガス系消火設備の消火剤貯蔵容器の容器弁を開放するための操作銅管の取り外し箇所を示す説明図である。
【図３】本発明の固定設備における作業項目の実施漏れ防止装置のシステム構成を示す説明図である。
【図４】本発明の固定設備における作業項目の実施漏れ防止装置の２個１組の個別標識手段からなる場合のシステム構成を示す説明図である。
【発明を実施するための形態】
【００２１】
以下、本発明の固定設備における作業項目の実施漏れ防止装置の実施の形態を、図面に基づいて説明する。
【００２２】
図１〜図２に、本発明の固定設備における作業項目の実施漏れ防止装置を適用するガス系消火設備の一例を示す。
【００２３】
このガス系消火設備における作業項目の実施漏れ防止装置は、図３に示すように、ＩＣＴを用いたシステムであって、
固定設備としてのガス系消火設備の図面データを、この固定設備における作業必要箇所と共に記憶するデータ記憶手段してのシステムサーバー（ここで、データ記憶手段の機能の一部又は全部を、以下の携帯情報端末（タブレット）に持たせることもできる。）と、
このデータ記憶手段に記憶されたデータに基づいて、固定設備の図面を、作業必要箇所の表示と共に表示する表示手段としての携帯情報端末（タブレット）と、
各作業必要箇所に設置される作業必要箇所を識別するための個別識別情報が記録されている個別標識手段としてのＩＣタグ（ここで、ＩＣタグには、例えば、ＲＦ（Radio Frequency）タグ等の内蔵したメモリのデータを非接触で読み書きする情報媒体を好適に用い
ることができる。また、個別標識手段としては、ＩＣタグのほか、バーコード等の個別識別情報が記録されている個別標識手段を用いることもできる。）と、
個別標識手段に記録されている個別識別情報を認識する個別標識認識手段としてのＩＣタグリーダーと、
作業必要箇所と該作業必要箇所を識別するための個別標識手段に記録されている個別識別情報との関係を記憶するとともに、当該記憶した関係に基づいて、個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断する管理手段としての携帯情報端末に導入されたアプリケーションとで構成される。
【００２４】
そして、この固定設備における作業項目の実施漏れ防止装置は、ガス系消火設備の点検作業を行う場合に、以下のようにして適用される。
（１）システムサーバーのガス系消火設備の図面データをタブレットにダウンロードして、図面上の作業必要箇所（例えば、点検用閉止弁１、容器弁ソレノイド２（電磁式容器弁開放装置）及び消火剤貯蔵容器の容器弁３を開放するための操作銅管等の誤放出事故の発生防止措置を施す箇所。なお、作業必要箇所は、これに限定されず、例えば、起動用ガス容器から起動用ガスが流れ込む選択弁のピストンレリーザに至る銅管部等を防止措置として対象にすることができる。）に、例えば、赤色の丸印（マーク）を設定し、表示するようにする（マークの色や形は、任意に設定することができ、必要に応じて、文字等も情報として示すことができる。以下も同様。）。
（２）ＩＣタグを、作業必要箇所又はその直近に設置する。ＩＣタグには、個別標識が記録されており、タブレットの図面上のマークを指定し、ＩＣタグの個別標識をＩＣタグリーダーを操作してＩＳＯ１５６９３に準拠した通信によって読み取ると、ＩＣタグリーダーはタブレットとＢｌｕｅｔｏｏｔｈ（登録商標）規格による通信を行う（必要に応じて、任意の通信規格を使用することができる。）。このようにして、初回に読み取った個別標識は、図面上のマークに登録（紐付け）され、マークは自動的に青色に変わる。この登録した個別標識の情報は、次回以降も使用するもので、登録作業は毎回実施する必要はない。この初回の登録作業は、点検作業の作業着手時の作業項目の実施漏れ防止措置を兼ねている。
（３）タブレットに導入されたアプリケーションは、すべてのマークについて上記（２）の登録が終わらないまま点検作業を開始しようとすると、未登録のマークがある旨の表示や音又は音声による警告を発する。作業者は、上記表示や警告及び図面上の赤色の丸印（マーク）表示により、防止措置の未実施と当該箇所を容易に把握することができる。
（４）点検作業を実施し、点検作業の終了後、作業必要箇所の復旧に着手する。
（５）ＩＣタグの個別標識をＩＣタグリーダーを操作して読み取ると、タブレットのマークは自動的に緑色に変わる。ここで、ＩＣタグと図面上のマークは、既に紐付けられているため、初回で実施したマークの指定及び登録は不要である。
（６）点検作業の作業着手時と同様に、タブレットに導入されたアプリケーションは、すべてのマークについて上記（５）の登録が終わらないまま点検作業を終了しようとすると、未登録のマークがある旨の表示や音又は音声による警告を発する。作業者は、上記表示や警告及び図面上の青色の丸印（マーク）表示により、防止措置の復旧の未実施と当該箇所を容易に把握することができる。
（７）点検作業をすべて完了したことをタブレットに導入されたアプリケーションに入力すると、次回の点検作業の作業着手前の防止措置の際には、タブレットのマークは自動的に登録済を示す黄色に変わるようにする。
（８）そして、次回の点検作業の作業着手前の防止措置の際には、（２）のＩＣタグの個別標識をＩＣタグリーダーを操作して読み取る操作から開始する。これにより、マークは自動的に青色に変わり、以降、上記（３）〜（７）の作業を繰り返すようにする。
【００２５】
ところで、上記の実施例では、実施漏れ防止の対象となる「固定設備における作業項目」を、固定設備であるガス系消火設備を点検する際の作業項目である誤放出事故の発生防止措置を施す箇所についての作業を例に説明したが、本発明において実施漏れ防止の対象となる「固定設備における作業項目」には、これ以外の各種固定設備を建造する際の作業項目や点検する際の作業項目を含むものである。
【００２６】
例えば、ガス系消火設備の場合、長期間に亘る施工現場では、各工期間の引き継ぎミスにより、配管や銅管が接続されないまま竣工することがある。この状態で火災が発生した場合、消火剤が放出されずに消火できない状態となる。
これを防ぐために、タブレットに表示した図面上で、未接続となる部分をマーク登録し、ＩＣタグを取り付け、ＩＣタグリーダーで読み取り、タブレットに記録する。
次の工程で、接続後にＩＣタグをＩＣタグリーダーで読み取り、タブレットに記録することで、作業漏れがないことを確認することができる。
【００２７】
このほか、タブレットには、登録されている個別識別情報及び作業の実施状況以外に、実施時刻、作業者等の各種情報を記録することができる。
また、作業必要箇所を追加する場合は、上記（１）のように、図面上の作業必要箇所に表示を設定した後、上記（２）のように、ＩＣタグを、作業必要箇所又はその直近に設置し、タブレットの図面上のマークを指定し、ＩＣタグの個別標識をＩＣタグリーダーを操作して、図面上のマークに登録（紐付け）することにより行うことができる。
また、ＩＣタグの破損等によりＩＣタグを交換する場合は、図面上のマークに再登録（紐付け）することにより行うことができる。
また、作業必要箇所を削除する場合は、図面上に表示されている作業必要箇所の表示を削除することによりに行うことができるが、必要に応じて、表示を削除することができる者の制限等の削除条件を設定するようにすることができる。
また、ＩＣタグの個別識別情報は、書き換えが可能なことから、ＩＣタグリーダーをＩＣタグへの書き込み機能を搭載したＩＣタグリーダーライターに変更することで、ＩＣタグに設置箇所、名称、設置日付、防止作業の実施時刻、作業者等を記録することもできる。
【００２８】
この固定設備における作業項目の実施漏れ防止装置によれば、個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断するようにすることにより、各作業必要箇所に設置される作業必要箇所を識別するための個別識別情報が記録されている個別標識手段を、個別標識認識手段により認識させる簡易な管理手法で、多くの視点でのチェック、具体的には、作業者による作業及び判断に機械的な管理を介在させることで、消火設備等の固定設備を建造する際や点検する際の作業項目に実施漏れがないようにすることができる。
【００２９】
ところで、上記実施例においては、作業必要箇所に配置する個別標識手段に、各々１個の個別標識手段（ＩＣタグ）を用いるようにしたが、図４に示すように、個別標識手段に、２個１組の個別標識手段（ＩＣタグ）を用いることもできる。
【００３０】
そして、この固定設備における作業項目の実施漏れ防止装置は、ガス系消火設備の点検作業を行う場合に、以下のようにして適用される。
（１）システムサーバーのガス系消火設備の図面データをタブレットにダウンロードして、図面上の作業必要箇所に、例えば、赤色の丸印（マーク）を設定し、表示するようにす
る。
（２）該当する作業必要箇所の固定設備が、例えば、構成部品の移動を伴う場合や物理的な位置変化を伴う可動部品からなる場合、より具体的には、作業内容が、操作銅管の取り外し、容器弁ソレノイドのロック、点検用閉止弁の閉止等のような場合は、２個１組のＩＣタグを、作業必要箇所又はその直近に設置する。ＩＣタグには、個別標識が記録されており、タブレットの図面上のマークを指定し、ＩＣタグの個別標識をＩＣタグリーダーを操作してＩＳＯ１５６９３に準拠した通信によって読み取ると、ＩＣタグリーダーはタブレットとＢｌｕｅｔｏｏｔｈ（登録商標）規格による通信を行う（必要に応じて、任意の通信規格を使用することができる。）。この場合、２個１組のＩＣタグは、図４（ａ）に示すように、操作銅管の取り外しの場合は、構成部品の移動を伴う固定設備のそれぞれに、設置用針金等の締結手段を用いてＩＣタグを配置し、構成部品が一体化されている場合には、２個のＩＣタグを１つのケースに収容するようにしたり、図４（ｂ）に示すように、構成部品の移動を伴う固定設備のそれぞれに、設置用針金等の締結手段を用いてＩＣタグを配置し、構成部品が一体化されている場合には、２個のＩＣタグをコネクタやマグネット等の接続具（なお、接続具には、クリップ等の任意の手段を用いることができる。）を用いて接続、一体化するようにしたり、図４（ｃ）に示すように、点検用閉止弁の閉止の場合は、物理的な位置変化を伴う可動部品と固定設備のそれぞれに、設置用針金等の締結手段を用いてＩＣタグを配置し、構成部品が一体化されている場合には、２個のＩＣタグを１つのケースに収容するようにする。この場合、ＩＣタグリーダーには、１つのケースに収容されたり、コネクタやマグネットを用いて接続、一体化された２個１組の各々のＩＣタグの個別標識を同時に読み取ることができるものを用いるようにする。このようにして、初回に読み取った個別標識（各々のＩＣタグの個別標識を同時に読み取られた２個１組のＩＣタグ）は、図面上のマークに登録（紐付け）され、マークは自動的に青色に変わる。この登録した個別標識の情報は、次回以降も使用するもので、登録作業は毎回実施する必要はない。この初回の登録作業は、点検作業の作業着手時の作業項目の実施漏れ防止措置を兼ねており、登録作業の後、１つのケースに収容された一方のＩＣタグを取り出したり、コネクタやマグネットを用いて接続、一体化された２個１組のＩＣタグを分離して、操作銅管の取り外しや点検用閉止弁の閉止等の作業を行うようにする。なお、初回の登録作業と点検作業の作業着手時の作業項目の実施漏れ防止措置とを個別に認識するようにする場合は、後述の次回の点検作業の場合と同様に、操作銅管の取り外しや点検用閉止弁の閉止等の作業を行った後、どちらか一方のＩＣタグをＩＣタグリーダーで読み込む工程を含めるようにアプリケーション（システム）を構築することもできる。
（３）タブレットに導入されたアプリケーションは、すべてのマークについて上記（２）の登録が終わらないまま点検作業を開始しようとすると、未登録のマークがある旨の表示や音又は音声による警告を発する。作業者は、上記表示や警告及び図面上の赤色の丸印（マーク）表示により、防止措置の未実施と当該箇所を容易に把握することができる。
（４）点検作業を実施し、点検作業の終了後、作業必要箇所の復旧に着手する。このとき、併せて、２個のＩＣタグを１つのケースに再度収容するようにしたり、２個のＩＣタグをコネクタやマグネットを用いて再度接続、一体化するようにする。
（５）各々のＩＣタグの個別標識を同時にＩＣタグリーダーを操作して読み取ると、タブレットのマークは自動的に緑色に変わる。ＩＣタグが１個のみ読み込まれた場合や１個ずつ個別に読み込まれた場合は、操作銅管の取り付けや点検用閉止弁の開放等の作業がなされていないものと判別し、マークの色は変わらない。ここで、ＩＣタグと図面上のマークは、既に紐付けられているため、初回で実施したマークの指定及び登録は不要である。
（６）点検作業の作業着手時と同様に、タブレットに導入されたアプリケーションは、すべてのマークについて上記（５）の登録が終わらないまま点検作業を終了しようとすると、未登録のマークがある旨の表示や音又は音声による警告を発する。作業者は、上記表示や警告及び図面上の青色の丸印（マーク）表示により、防止措置の復旧の未実施と当該箇所を容易に把握することができる。
（７）点検作業をすべて完了したことをタブレットに導入されたアプリケーションに入力
すると、次回の点検作業の作業着手前の防止措置の際には、タブレットのマークは自動的に登録済を示す黄色に変わるようにする。
（８）そして、次回の点検作業の作業着手前の防止措置の際には、（２）のＩＣタグの個別標識をＩＣタグリーダーを操作して読み取る操作から開始する。具体的には、１つのケースに収容された一方のＩＣタグを取り出したり、コネクタやマグネットを用いて接続、一体化された２個１組のＩＣタグを分離して、操作銅管の取り外しや点検用閉止弁の閉止等の作業を行った後、どちらか一方のＩＣタグをＩＣタグリーダーで読み込む。タブレットは、初回登録された２個のＩＣタグのうちのどちらか一方のＩＣタグの読み込みが終わるとマークは自動的に青色に変わる。２個のＩＣタグが同時に読み込まれた場合、操作銅管取り外しや点検用閉止弁の閉止等の作業がなされていないものと判別し、マークの色は変わらない。以降、上記（３）〜（７）の作業を繰り返すようにする。
【００３１】
このように、個別標識手段が、２個１組の個別標識手段からなるようにすることにより、該当する作業必要箇所の固定設備が、構成部品の移動を伴う場合や物理的な位置変化を伴う可動部品からなる場合における作業項目の実施漏れを確実に防止することができる。
【００３２】
以上、本発明の固定設備における作業項目の実施漏れ防止装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明の固定設備における作業項目の実施漏れ防止装置は、簡易な管理手法で、消火設備等の固定設備を建造する際や点検する際の作業項目に実施漏れがないようにすることができるという特性を有していることから、消火設備等の固定設備を建造する際の作業項目や点検する際の作業項目の実施漏れ防止装置の用途に好適に用いることができる。
【符号の説明】
【００３４】
１  点検用閉止弁
２  容器弁ソレノイド（電磁式容器弁開放装置）
３  消火剤貯蔵容器の容器弁
【図１】
2019135652.tif 000003
【図２】
2019135652.tif 000004
【図３】
2019135652.tif 000005
【図４】
2019135652.tif 000006
【手続補正書】
【提出日】令和1年5月24日(2019.5.24)
【手続補正１】
【補正対象書類名】明細書
【補正対象項目名】０００８
【補正方法】変更
【補正の内容】
【０００８】
上記目的を達成するため、本発明の固定設備における作業項目の実施漏れ防止装置は、
固定設備の図面データを、該固定設備における作業必要箇所と共に記憶するデータ記憶手段と、
該データ記憶手段に記憶されたデータに基づいて、固定設備の図面を、作業必要箇所の表示と共に表示する表示手段と、
各作業必要箇所に設置される作業必要箇所を識別するための個別識別情報が記録されているＩＣタグからなる個別標識手段と、
個別標識手段に記録されている個別識別情報を認識するＩＣタグリーダーからなる個別標識認識手段と、
作業必要箇所に設置された個別標識手段に記録されている個別識別情報を個別標識認識手段によって認識させることによって、作業必要箇所と該作業必要箇所を識別するための個別標識手段に記録されている個別識別情報との関係を記憶するとともに、当該記憶した関係に基づいて、個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断する管理手段と
からなることを特徴とする。
ここで、本発明において実施漏れ防止の対象となる「固定設備における作業項目」には、消火設備等の固定設備を建造する際の作業項目や点検する際の作業項目がある。
【手続補正２】
【補正対象書類名】明細書
【補正対象項目名】００１０
【補正方法】削除
【補正の内容】
【手続補正３】
【補正対象書類名】明細書
【補正対象項目名】００１２
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
固定設備の図面データを、該固定設備における作業必要箇所と共に記憶するデータ記憶手段と、
該データ記憶手段に記憶されたデータに基づいて、固定設備の図面を、作業必要箇所の表示と共に表示する表示手段と、
各作業必要箇所に設置される作業必要箇所を識別するための個別識別情報が記録されているＩＣタグからなる個別標識手段と、
個別標識手段に記録されている個別識別情報を認識するＩＣタグリーダーからなる個別標識認識手段と、
作業必要箇所に設置された個別標識手段に記録されている個別識別情報を個別標識認識手段によって認識させることによって、作業必要箇所と該作業必要箇所を識別するための個別標識手段に記録されている個別識別情報との関係を記憶するとともに、当該記憶した関係に基づいて、個別標識認識手段が各個別標識手段に記録されている個別識別情報を認識したことの信号を受けたときに、表示手段の当該個別標識手段が設置された作業必要箇所が表示された位置に、当該受けた信号の情報を表示させるようにし、かつ、各作業必要箇所毎に個別標識認識手段が各個別標識手段に記録されている個別識別情報を認識したことの信号を受けたことの有無を判断する管理手段と
からなることを特徴とする固定設備における作業項目の実施漏れ防止装置。
【請求項２】
個別標識手段が、２個１組の個別標識手段からなることを特徴とする請求項１記載の固定設備における作業項目の実施漏れ防止装置。
【請求項３】
表示手段が、携帯情報端末からなることを特徴とする請求項１又は２記載の固定設備における作業項目の実施漏れ防止装置。
【請求項４】
作業着手時と作業終了時とに、当該作業を行う作業必要箇所に設置された個別標識手段に記録されている個別識別情報を個別標識認識手段によって認識させ、該認識したことの信号を受けたときに、表示手段の当該個別標識手段が設置された作業必要箇所が表示された位置に、当該受けた信号の情報を作業着手時と作業終了時とで区別して表示させるようにしたことを特徴とする請求項１、２又は３記載の固定設備における作業項目の実施漏れ防止装置。